(57)【要約】【課題】カバーの開閉が便利で、意外な開けを防止できる名刺収納装置を提供する。【解決手段】少なくとも一側には、収容空間１１と、開口１２とを有する本体１と、本体１の開口１２に摺動自在に設けられ、本体１の開口１２を開閉するカバー２とを備える。本体１の開口１２の両側にはスライド溝１３がそれぞれ一つ設けられ、各スライド溝１３の一端部に近接した箇所では係りブロックが設けられ、各スライド溝１３の他端部には当接部１５が設けられ、カバー２の両側には本体１のスライド溝１３に対応するフック部２１がそれぞれ一つ設けられてもよい。また、本体１の収容空間１１の一端には円弧形突起１６が複数に設けられ、各円弧形突起１６は収容空間１１の底面から開口１２へ窪んだ円弧形状を呈していてもよい。【選択図】図２
0003121539.tif 000002
【実用新案登録請求の範囲】
【請求項１】
少なくとも一側には、一つの収容空間と、一つの開口とを有する本体と、
前記本体の開口に摺動自在に設けられ、前記本体の開口を開閉する少なくとも一つのカバーと、
を備えることを特徴とする名刺収納装置。
【請求項２】
前記本体の開口の両側にはスライド溝がそれぞれ一つ設けてあり、
前記各スライド溝の一端部に近接した箇所では係りブロックが一つ設けてあり、
前記各スライド溝の他端部には当接部が一つ設けてあり、
前記カバーの両側には前記本体のスライド溝に対応するフック部がそれぞれ一つ設けてあることを特徴とする請求項１に記載の名刺収納装置。
【請求項３】
前記本体の収容空間の一端には円弧形突起が複数設けてあり、
前記各円弧形突起は前記収容空間の底面から前記開口へ窪んだ円弧形状を呈することを特徴とする請求項２に記載の名刺収納装置。
【請求項４】
前記カバーの頂面には一つの板フレームを嵌めて摺動するための互いに平行するスライド溝が二つ設けてあり、
前記カバーの頂面の互いに平行する二つのスライド溝の間には万年暦表が印刷してあり、
前記板フレームの中央には年月日を知るための窓区が一つ設けてあることを特徴とする請求項１に記載の名刺収納装置。
【請求項５】
前記本体の前記開口から遠ざかった一側が一つのケースに摺動自在に設けられ、
前記ケースは一つの第二収容空間を有し、
前記ケースは一つの第二開口を有し、
前記本体により前記ケースの第二開口が開閉されることを特徴とする請求項１に記載の名刺収納装置。
【請求項６】
前記ケースの第二開口の両側には第二スライド溝がそれぞれ一つ設けてあり、
前記第二スライド溝の一端には第二係りブロックが一つ設けてあり、
前記第二スライド溝の他端には第二当接部が一つ設けてあり、
前記本体の両側の底面には前記ケースの第二スライド溝に対応する第二フック部が一つ設けてあることを特徴とする請求項５に記載の名刺収納装置。
【請求項７】
前記ケースの第二収容空間には第二円弧形突起が複数設けてあり、
前記各第二円弧形突起は前記第二収容空間の底面から前記第二開口へ窪んだ円弧形状を呈することを特徴とする請求項５または６に記載の名刺収納装置。
【請求項８】
前記ケースの底面には一つの第二板フレームを嵌めて摺動するための互いに平行する第二スライド溝が二つ設けてあり、
前記ケースの底面の互いに平行する二つの第二スライド溝の間には万年暦表が印刷してあり、
前記第二板フレームの中央には年月日を知るための窓区が一つ設けてあることを特徴とする請求項５に記載の名刺収納装置。
【請求項９】
前記本体と前記カバーとの開閉方向は同一であることを特徴とする請求項５に記載の名刺収納装置。
【請求項１０】
前記本体の前記開口から遠ざかった一側には、一つの第三収容空間と、一つの第三開口とが設けてあり、
前記本体には第三開口を開閉するための第二カバーが摺動自在に一つ設けてあることを特徴とする請求項１に記載の名刺収納装置。
【請求項１１】
前記本体の第三開口の両側には第三スライド溝がそれぞれ一つ設けてあり、
前記第三スライド溝の一端には第三係りブロックが一つ設けてあり、
前記第三スライド溝の他端には第三当接部が一つ設けてあり、
前記第二カバーの両側には前記本体の第三スライド溝に対応する第三フック部が一つ設けてあることを特徴とする請求項１０に記載の名刺収納装置。
【請求項１２】
前記本体の第三収容空間の第三スライド溝にある第三当接部に近接した一端には第三円弧形突起が複数設けてあり、
前記各第三円弧形突起は前記第三収容空間の底面から前記第三開口へ窪んだ円弧形状を呈することを特徴とする請求項１０または１１に記載の名刺収納装置。
【考案の詳細な説明】
【技術分野】
【０００１】
本考案は、名刺収納装置に係り、特に、開閉が便利になり、携帯も便利になる名刺収納装置に関するものである。
【背景技術】
【０００２】
図１０に示すのは従来の名刺ケースの構造であって、プレス加工によって金属シートを成形したものであり、カバーを旋回すると名刺ケースが開けられ、その構造は、主に、名刺を収容するためのケース７と、前記ケース７に枢着したカバー８とを備え、前記カバー８には前記ケース７に係止するための引き部８１が設けてある。
従来の名刺ケースの構造は、その製造の過程中には枢着精度をコントロールすることが難しいので、カバー８の引き部をケース７に合わせる際には係止の弛緩度のバラツキが大きく、且つ名刺ケースをシャツまたはズボンのポケットに入れたときに、ポケットが前記引き部に係られて破壊することはよくあり、且つ前記カバーが意外に開けられることもよくあった。そして、名刺が名刺ケース内に収納されるので、三つの側面が止められ、ケースに枢着した側面だけから名刺を取り出すことができ、また、枢着箇所は名刺ケースの収容底面に垂直し、且つ収容された名刺が収容底面に寄るので、従来の名刺ケースから名刺を取り出すことは不便であった。
【考案の開示】
【考案が解決しようとする課題】
【０００３】
本考案の主な目的は、カバーの開閉が便利になり、且つカバーの意外な開けを防止できる名刺収納装置を提供する。
本考案の次の目的は、二つの収納空間が設けてあることにより、ユーザは名刺を分類することができる名刺収納装置を提供する。
本考案の別の目的は、底面の両側に収納空間をそれぞれ一つ設けることにより、ユーザが自分の習慣によって名刺を分類して管理することができる名刺収納装置を提供する。
本考案の更に別の目的は、収容空間に底面から前記開口へ窪んだ円弧形状を呈する円弧形突起を複数設けることにより、カバーまたはケースを摺動して名刺を取り出すときに名刺が前記円弧形突起に案内され、これにより、名刺の取り出しが便利になる名刺収納装置を提供する。
【課題を解決するための手段】
【０００４】
上記目的を達成するためになされた名刺収納装置は、少なくとも一側には、一つの収容空間と、一つの開口とを有する本体と、前記本体の開口に摺動自在に設けられ、前記本体の開口を開閉する少なくとも一つのカバーとを備える。
前記本体の開口の両側にはスライド溝がそれぞれ一つ設けられ、前記各スライド溝の一端部に近接した箇所では係りブロックが一つ設けられ、前記各スライド溝の他端部には当接部が一つ設けられ、前記カバーの両側には前記本体のスライド溝に対応するフック部がそれぞれ一つ設けられてもよい。
【０００５】
さらに、前記本体の収容空間の一端には円弧形突起が複数設けられ、前記各円弧形突起は前記収容空間の底面から前記開口へ窪んだ円弧形状を呈していてもよい。
また、前記カバーの頂面には一つの板フレームを嵌めて摺動するための互いに平行するスライド溝が二つ設けられ、前記カバーの頂面の互いに平行する二つのスライド溝の間には万年暦表が印刷してあり、前記板フレームの中央には年月日を知るための窓区が一つ設けられてもよい。
またさらに、前記本体の前記開口から遠ざかった一側が一つのケースに摺動自在に設けられ、前記ケースは一つの第二収容空間を有し、前記ケースは一つの第二開口を有し、前記本体により前記ケースの第二開口が開閉されてもよい。
【０００６】
（考案の効果）
本考案に係る名刺収納装置によれば、次のような効果がある。
（イ）カバーの開閉が便利になり、且つカバーの意外な開けを防止できる。
（ロ）二つの収納空間が設けてあることにより、ユーザは名刺を分類することができる。
（ハ）底面の両側に収納空間をそれぞれ一つ設けることにより、ユーザが自分の習慣によって名刺を分類して管理することができる。
（ニ）収容空間に底面から前記開口へ窪んだ円弧形状を呈する円弧形突起を複数設けることにより、カバーまたはケースを摺動して名刺を取り出すときに名刺が前記円弧形突起に案内され、これにより、名刺の取り出しが便利になる。
【考案を実施するための最良の形態】
【０００７】
以下、添付図面を参照して本考案の好適な実施の形態を詳細に説明する。
まず、図１から図３を参照する。本考案の第一実施例に係る名刺収納装置は、一つの本体１と、一つのカバー２とを備える。前記本体１は、少なくとも一側には、一つの収容空間１１と、一つの開口１２とを有し、前記本体１の開口１２の両側にはスライド溝１３がそれぞれ一つ設けてあり、前記各スライド溝１３の一端部に近接した箇所では係りブロック１４が一つ設けてあり、前記各スライド溝１３の他端部には当接部１５が一つ設けてあり、前記本体１の収容空間１１の一端には円弧形突起１６が複数設けてあり、前記各円弧形突起１６は前記収容空間１１の底面から前記開口１２へ窪んだ円弧形状を呈する。
【０００８】
前記カバー２は、前記本体１の開口１２に摺動自在に設けられ、前記本体１の開口１２を開閉するものであり、前記カバー１の両側には前記本体１のスライド溝１３に対応するフック部２１がそれぞれ一つ設けてあり、前記各フック部２１の一端には制限段２１１が一つ設けてあり、これにより、前記カバー２が前記本体１のスライド溝１３の係りブロック１４と前記当接部１５との間で摺動自在である。且つ前記カバー１の頂面には一つの板フレーム２３を嵌めて摺動するための互いに平行するスライド溝２２が二つ設けてあり、前記カバー１の頂面の互いに平行する二つのスライド溝２２の間には万年暦表２４が印刷してあり、前記板フレーム２３の中央には年月日を知るための窓区２３１が一つ設けてある。
【０００９】
上記の構成によれば、前記カバー２は前記本体１の開口１２の上で所定範囲内に摺動することができ、前記カバー２の開閉が便利になり、且つカバーの意外な開けを防止することもでき、また、前記カバー２の上面では万年暦表が印刷されるので、ユーザは年月日を知ることができ、且つ前記収容空間１１に複数の円弧形突起１６を設けることにより、カバー２を摺動して名刺を取り出すときに名刺が前記円弧形突起１６に案内され、これにより、名刺の取り出しが便利になる。
【００１０】
次に、図４から図６に示すのは本考案の第二実施例であって、本体１の開口１２から遠ざかった一側が所定範囲内に摺動自在にケース３に設けられ、前記ケース３は一つの第二収容空間３１を有し、前記ケース３は一つの第二開口３２を有し、前記本体１により前記ケース３の第二開口３２が開閉され、本実施例では、前記本体１がケース３を開閉する方向と、前記カバー２が前記本体１を開閉する方向とは同一である。前記ケース３の第二開口３２の両側には第二スライド溝３３がそれぞれ一つ設けてあり、前記第二スライド溝３３の一端には第二係りブロック３４が一つ設けてあり、前記第二スライド溝３３の他端には第二当接部３５が一つ設けてある。
【００１１】
前記本体１の両側の底面には前記ケース３の第二スライド溝３３に対応する第二フック部１７が一つ設けてあり、前記各第二フック部１７の前記カバー２の各フック部２１の制限段２１１に対応する一端には第二制限段１７１が一つ設けてあり、これにより、前記カバー２が前記ケース３の第二スライド溝３３の係りブロック３４と前記第二当接部３５との間に摺動自在である。
【００１２】
そして前記ケース３にある第二収容空間３１の第二スライド溝３３にある当接部３５に近接する一端には第二円弧形突起３６が複数設けてあり、前記各第二円弧形突起３６は前記第二収容空間３１の底面から前記第二開口３２へ窪んだ円弧形状を呈し、前記ケース３の底面には一つの第二板フレーム３８を嵌めて摺動するための互いに平行する第二スライド溝３７が二つ設けてあり、前記ケース３の底面の互いに平行する二つの第二スライド溝３７の間には万年暦表３９が印刷してあり、前記第二板フレーム３８の中央には年月日を知るための窓区３８１が一つ設けてある。
【００１３】
上記の名刺収納装置によれば、本体１とケース３とには収容空間１１、３１がそれぞれ設けてあることにより、ユーザは名刺を分類して収容空間１１、３１に別々に入れて管理することができ、且つ前記ケース３は前記本体１の底面で所定範囲内に摺動することができ、前記本体１を引くことにより、前記ケース３にある第二開口３２が開閉され、名刺の取り出しが便利になり、且つユーザが自分の習慣によって名刺を分類して管理することができる。
【００１４】
次に、図７から至図９に示すのは本考案の第三実施例であって、本体５の開口１２から遠ざかった一側には、一つの第三収容空間５１と、一つの第三開口５２とが設けてあり、且つ第二カバー６が所定範囲内に前記本体５の底面で摺動自在であり、前記第二カバー６により前記本体５の第三開口５２が開閉される。前記本体５の第三開口５２の両側には第三スライド溝５３がそれぞれ一つ設けてあり、前記第三スライド溝５３の前記本体５にあるスライド溝５４の係りブロック５４１から遠ざかった一端には第三係りブロック５５が一つ設けてあり、前記第三スライド溝５３の他端には第三当接部５６が一つ設けてある。
【００１５】
そして前記本体５にある第三収容空間５２の第三スライド溝５３にある第三当接部５６に近接する一端には第三円弧形突起５７が複数設けてあり、前記各第三円弧形突起５７は前記第三収容空間５１の底面から前記第三開口５２へ窪んだ円弧形状を呈する。前記第二カバー６の両側には前記本体５の第三スライド溝５３に対応する第三フック部６１がそれぞれ一つ設けてあり、前記各第三フック部６１には第三制限段６１１がそれぞれ一つ設けてあり、これにより、前記第二カバー６が前記本体５にある第三スライド溝５２の第三係りブロック５５と第三当接部５６との間に摺動自在である。
【００１６】
上記の名刺収納装置によれば、本体５の底面の両側には収容空間がそれぞれ設けてあることにより、ユーザは名刺を分類して二つの収容空間に別々に入れて管理することができ、且つ前記本体５の両側面にはカバーが所定範囲内に摺動自在に設けてあるので、前記各カバー２、６を引くことにより、前記本体５が開閉され、名刺の取り出しが便利になり、且つユーザが自分の習慣によって名刺を分類して管理することができる。
もちろん、本考案の精神および請求範囲は、実用新案登録請求の範囲に限定され、上記の実施例に限定されない。
【図面の簡単な説明】
【００１７】
【図１】本考案の第一実施例による名刺収納装置の分解斜視図である。
【図２】本考案の第一実施例による名刺収納装置のカバーが引かれた状態を示す斜視図である。
【図３】本考案の第一実施例による名刺収納装置の上面断面図である。
【図４】本考案の第二実施例による名刺収納装置の分解斜視図である。
【図５】本考案の第二実施例による名刺収納装置のカバー及び本体が引かれた状態を示す斜視図である。
【図６】本考案の第二実施例による名刺収納装置の上面断面図である。
【図７】本考案の第三実施例による名刺収納装置の分解斜視図である。
【図８】本考案の第三実施例による名刺収納装置の二つのカバーが引かれた状態を示す斜視図である。
【図９】本考案の第三実施例による名刺収納装置の上面断面図である。
【図１０】従来の名刺ケースのカバーが開けられた状態を示す斜視図である。
【符号の説明】
【００１８】
１  本体、２  カバー、３  ケース、５  本体、６  第二カバー、７  ケース、８  カバー、１１  収納空間、１２  開口、１３  スライド溝、１４  係りブロック、１５  当接部、１６  円弧形突起、１７  第二フック部、２１  フック部、２２  スライド溝、２３  板フレーム、２４  万年暦表、３１  第二収容空間、３２  第二開口、３３  第二スライド溝、３４  第二係りブロック、３５  第二当接部、３６  第二円弧形突起、３７  第二スライド溝、３８  第二板フレーム、３９  万年暦表、５１  第三収容空間、５２  第三開口、５３  第三スライド溝、５４  スライド溝、５５  第三係りブロック、５６  第三当接部、５７  第三円弧形突起、６１  第三フック部、８１  引き部、１７１  第二制限段、２１１  制限段、２３１  窓区、３８１  窓区、５４１  係りブロック、６１１  第三制限段
【図１】
0003121539.tif 000003
【図２】
0003121539.tif 000004
【図３】
0003121539.tif 000005
【図４】
0003121539.tif 000006
【図５】
0003121539.tif 000007
【図６】
0003121539.tif 000008
【図７】
0003121539.tif 000009
【図８】
0003121539.tif 000010
【図９】
0003121539.tif 000011
【図１０】
0003121539.tif 000012